(57)【要約】【課題】嵩張ることがなく、持ち易く、従って持ち運びに便利であって、運搬時にトイレシート等のトイレ用品を収納可能な小動物用のトイレを提供すること、更にはトイレの周囲を汚すことがなく、又トイレシートを固定可能で排泄の後始末が容易な持ち運びに便利な小動物用のトイレを提供する。【解決手段】基板２１と、基板２１に回動自在に枢結される２個の側体２２とを備え、側体２２は基板２１と結合する結合板２４と結合板２４上に植立した壁板２７を有し、側体２２の外壁面には把持部材５を備え、壁板２７上に折畳み可能なガード３を着脱自在に設置した小動物用トイレ１であって、折畳み時には箱を形成し、組立時には上部開口且つ側面の一部が開口する箱体を構成する小動物用トイレ。【選択図】  図１
2005168383.tif 000002
【特許請求の範囲】
【請求項１】
基板と、基板に回動自在に枢結される２個の側体とを備え、側体は基板と結合する結合板と結合板上に植立した壁板を有する小動物用トイレ。
【請求項２】
壁板は結合板の基板と接しない縁辺上に植立した請求項１記載の小動物用トイレ。
【請求項３】
側体の壁板上に設置されるガードを備える請求項１又は請求項２に記載の小動物用トイレ。
【請求項４】
側体は方形の結合板と、横断面コの字型の壁板を有して構成され、ガードは中板と中板の両端に回動自在に枢結される二個の外板を備える請求項３に記載の小動物用トイレ。
【請求項５】
基板の側体が枢結されていない辺上に側壁を設置し、側壁を基板に対して略垂直を保つための支持手段を備える請求項１乃至請求項４のうち何れか一項に記載の小動物用トイレ。
【請求項６】
トイレの内壁面の上端部には保持部材を備える請求項１乃至請求項５のうち何れか一項に記載の小動物用トイレ。
【請求項７】
側体の外壁面には把持部材又は／及び掛け紐を備える請求項１乃至請求項６のうち何れか一項に記載の小動物用トイレ。
【請求項８】
側体を閉状態に保持する結合部材を備える請求項１乃至請求項７のうち何れか一項に記載の小動物用トイレ。
【発明の詳細な説明】
【技術分野】
【０００１】
本発明は猫や犬等の小動物用トイレに関し、特に飼主が出かけるときに小動物を一緒に連れて行く場合に、小動物用のトイレ用品を収納可能で且つ持ち運びに便利な小動物用トイレに関する。
【背景技術】
【０００２】
近年では猫や犬等の小動物をペットとして室内で飼うことが多くなっており、小動物の糞尿の処理のために小動物用のトイレが用いられている。又、このようなペットは家族の一員として扱われ、飼主が旅行等に行くときには一緒に連れて行くことが多くなっている。しかし、犬や猫等の小動物は神経質な面を有し、場所やトイレが変わると排泄が円滑にできない場合が多々ある。その結果体調を崩したり、ホテルや自動車の床等の望ましくない場所にお漏らしをしてしまうこととなる。
【０００３】
このようなことから、犬や猫等と一緒に出かける場合には、普段使用している小動物用トイレを持っていくことが望ましく、実際に持っていく場合もある。しかし、従来の小動物用トイレは上部開口の箱状或いはトレー状等の分解或いは折畳みできない一体型に形成されているため、嵩張り、持ちにくいので、持ち運びには不便であった。又、トイレ本体とは別に尿等の吸収材を有するいわゆるトイレシート等のトイレ用品をも携行する必要があり、自動車での移動以外では小動物用トイレ用品の持ち運びは困難であった。
【０００４】
更に、犬や猫等の排尿時には、以外に尿が飛び散りトイレの周囲を汚すものであり、特にしゃがんで排尿するのではなく片足を挙げて排尿する犬の場合にはそれが顕著である。そのため、トイレの周縁に上方に延設された壁状のガードやトイレを覆うフード等を設けることが行われている（例えば、特許文献１参照。）。このために、小動物用トイレは更に嵩張り、持ちにくいので、持ち運びには不便であった。
【０００５】
そのため、トイレシートのみを携行し、出先でトイレシートを床の上等に直に敷いてトイレとして用い排泄させることも行われているが、前述のように周囲を汚してしまうので、清掃等の後始末が煩雑であるという問題点があった。
【０００６】
【特許文献１】特開平１０−３３０８１号公報
【発明の開示】
【発明が解決しようとする課題】
【０００７】
そこで、本発明は嵩張ることがなく、持ち易く、従って持ち運びに便利な小動物用のトイレを提供すること、又、運搬時にトイレシート等のトイレ用品を収納可能な小動物用のトイレを提供すること、更にはトイレの周囲を汚すことがなく、又トイレシートを固定可能で排泄の後始末が容易な持ち運びに便利な小動物用のトイレを提供することを目的とする。
【課題を解決するための手段】
【０００８】
上記課題を解決するための第一の手段は、基板と、基板に回動自在に枢結される２個の側体とを備え、側体は基板と結合する結合板と結合板上に植立した壁板を有する小動物用トイレである。
【０００９】
又、第二の手段は、第一の手段において、壁板は結合板の基板と接しない縁辺上に植立した小動物用トイレである。
【００１０】
又、第三の手段は、第一又は第二の手段において、側体の壁板上に設置されるガードを備える小動物用トイレである。
【００１１】
又、第四の手段は、第三の手段において、側体は方形の結合板と、横断面コの字型の壁板を有して構成され、ガードは中板と中板の両端に回動自在に枢結される二個の外板を備える小動物用トイレである。
【００１２】
又、第五の手段は、第一乃至第四の何れかの手段において、基板の側体が枢結されていない辺上に側壁を設置し、側壁を基板に対して略垂直を保つための支持手段を備える小動物用トイレである。
【００１３】
又、第六の手段は、第一乃至第五の何れかの手段において、トイレの内壁面の上端部には保持部材を備える小動物用トイレである。
【００１４】
又、第七の手段は、第一乃至第六の何れかの手段において、側体の外壁面には把持部材又は／及び掛け紐を備える小動物用トイレである。
【００１５】
又、第八の手段は、第一乃至第七の何れかの手段において、側体を閉状態に保持する結合部材を備える小動物用トイレである。
【発明の効果】
【００１６】
上記のような本願請求項１又は請求項２に記載の発明によれば、小動物用のトイレは嵩張ることがなく、持ち易く、従って持ち運びに便利となった。又、運搬時にトイレシート等のトイレ用品を収納可能で便利となった。
【００１７】
又、請求項３に記載の発明によれば、持ち運びに便利な小動物用のトイレにおいて、トイレの周囲を汚すことがなく、排泄の後始末が容易となった。
【００１８】
又、請求項４に記載の発明によれば、トイレの周囲を汚すことがなく、排泄の後始末が容易となると共に、ガードもトイレ内部に収納可能で、嵩張ることがなく、持ち易く、従って持ち運びに便利となった。
【００１９】
又、請求項５に記載の発明によれば、嵩張ることがなく、更にはトイレの周囲を汚すことがなく排泄の後始末が容易となった。
【００２０】
又、請求項６に記載の発明によれば、トイレシートを固定可能で、トイレ自体を汚すことがなく、排泄の後始末が容易となった。
【００２１】
又、請求項７に記載の発明によれば、持ち運びがきわめて容易となった。
【００２２】
又、請求項６に記載の発明によれば、トイレ内部に多くのトイレ用品を収納可能で、持ち運びに便利となった。
【発明を実施するための最良の形態】
【００２３】
以下本発明の実施の形態を図に従って詳細に説明する。小動物用トイレ１（以下単にトイレ１という）は本体２から構成される或いは更にガード３，３を備えて構成される、組立、折畳式のトイレである。トイレ１は折畳時には本体２により箱を構成し、展開、組立時には上部開口且つ側面の一部が開口する箱体を構成する。本体２及びガード３はポリエチレン、ポリプロピレン、ポリスチレン等の合成樹脂を圧縮成形や射出成形等により成形するが、これに限定されることなく、木材、軽金属、紙等を用いて適宜の方法で成形してもよい。合成樹脂を用いる場合には抗菌剤、防汚材等を含有或いはコーティングさせることは推奨される。
【００２４】
本体２は展開時に小動物が排泄する空間１２を形成し、折畳時、収納時にはトイレシート等のトイレ用品を収納可能な内部空間１１を形成する箱を形成する部材であり、底面部をなす長方形或いは正方形の平板状の基板２１、基板２１の対向辺に回動自在に枢結された一対の側体２２，２２、基板２１の側体２２を設けていない一辺に枢結された長方形或いは正方形の側壁２３を備えて構成されている。
【００２５】
側体２２は四面の長方形又は正方形の平板体を用い、基板２１と直接結合する結合板２４と、結合板２４の基板２１と接しない縁辺上即ち基板２１との接辺以外の三辺上に、結合板２４の基板２１との接辺に対向する辺上に垂直に植立した端板２５及び他の二辺上に植立した側板２６，２６から成る横断面略コの字型の壁板２７とから構成されている。
【００２６】
側体２２は、結合板２４を直線辺で基板２１と結合する半円形状、三角形状或いは基板２１と結合する直線を底辺とする多角形状等の形状とし、壁板２７を結合板２４の形状に適応させ、結合板２４の基板２１と接しない縁辺上に植立して構成してもよい。又、壁板２７は必ずしも結合板２４の基板２１と接しない縁辺上に植立するのではなく、結合板２４上の適宜位置から植立することとしてもよい。この場合ガード３，３も壁板２７の形状に適合させて、適宜回動自在に枢結した二面体から成る構成や、横断面円弧状の一面の構成とする。又、基板２１と側体２２は枢結された構成とせずに、分離した構成とし、基板２１の上端面及び側端面に結合凹部、結合板２４の端部に結合凸部を形成し、組立時及び折畳時に結合凹部に結合凸部を嵌入して着脱自在に結合して設置することとしてもよい。
【００２７】
基板２１と結合板２４はヒンジ、蝶番或いは両端部を夫々基板２１と結合板２４に固着した弾性を有するゴム片、合成樹脂片、紐、その他の小片等を用い、或いは基板２１と結合板２４の接合部に夫々対応する凹部２１７、凸部２４７を設けて該凹部に該凸部を挿入しつつ軸支し、少なくとも基板２１と結合板２４の結合角が１８０度から９０度即ち水平状から垂直状の範囲で回動自在に枢結されている。
【００２８】
側体２２の外壁面であって、端板２５の外壁面上端部中心付近、即ちトイレ１の折畳み時に上面を構成する面の略中央付近にはトレイ１の運搬時に使用する取手等の把持部材５を設置することは推奨される。把持部材５は両端板２５，２５のうち一方に設けてもよいが、運搬時のバランスを良好とするために夫々に設けることとしてもよい。
【００２９】
そのほかトイレ１の運搬用に肩や腕等にかけてトイレ１を持つための適宜長さの帯、ベルト等の長尺物を掛け紐（図示せず）として、その両端をトイレ１の適宜箇所例えば結合板２４、端板２５や側板２６の外壁面上等の側体２２の外壁面に着脱自在に結合することとしてもよい。
【００３０】
又、側体２２を閉状態に保持、即ち側体２２，２２同士を結合しトイレ１を内部空間１１を有する箱状に維持するため、端板２５，２５の外壁面上には結合部材６を設けることが望ましい。結合部材６の具体例として、対になった部材の夫々を夫々の側体２２，２２に設置したベルト、各種フック、留め金、ベルト付きスナップボタン、帯状面ファスナー等を用いることができる。又、結合部材６は壁板２７の上縁面２７１，２７１に設けた帯状面ファスナー、磁石等を用いて構成することとしてもよい。
【００３１】
壁板２７の上縁面２７１には少なくとも端板２５及び側板２６に夫々１個の結合孔２７２，２７２…を穿設している。端板２５部分には２個乃至３個の結合孔２７２を設けることが好ましい。
【００３２】
側壁２３は小動物が排泄をするための空間１２を形成するための一部材である。側壁２３は基板２１の側体２２との結合辺以外の二辺のうち何れかの一辺に、少なくとも基板２１と側壁２３の結合角が３６０度から９０度、即ち基板２１の裏面２１１と側壁２３が面着する状態から側壁２３が基板２１上方に垂直状態の範囲で回動自在に枢結されている。具体的構成例としては図３、４及び７に示すように、基板２１の端部を縦断面半円状に構成すると共に切欠部２１９を設け、側壁２３の端部の回転方向内側の隅２３５を縦断面円弧状に構成すると共に切欠部２３９を設け、切欠部２１９及び２３９に基板２１の端部及び側壁２３の端部に回動自在に軸支された枢軸部材２２２を設置して構成している。側壁２３の端部の回転方向内側の隅２３５のみを縦断面円弧状に構成することにより、側壁２３の回動が円滑になり、トイレ１の組立時に側壁２３が基板２１に垂直の位置でその回動を止めることが可能となる。
【００３３】
勿論、他のヒンジや蝶番或いは両端部を夫々基板２１と結合板２４に固着した弾性を有するゴム片、合成樹脂片、紐、その他の小片等を用い、或いは側壁２３と基板２１の接合部に夫々対応する凹部、凸部を設けて該凹部に該凸部を挿入しつつ枢結する構成としてもよい。側壁２３を基板２１の裏面２１１に一時固定するための手段、例えば側壁２３及び基板２１の裏面２１１に対応させて設置した面ファスナー、スナップボタン、磁石等を設ける。側壁２３の高さＨは特に限定されないが、基板２１の奥行きＬ以下に構成することが望ましく、側体２２上にガード３を結合した時の高さと同じ高さにすることがより好ましい。
【００３４】
又、側壁２３はその収納時に基板２１の表面２１２と側壁２３が面着する構成としてもよい。又、側壁２３は基板２１に枢結するのではなく、分離した構成とし、側壁２３底端面と基板２１上面端の何れか一方に結合凹部、他方に結合凸部を設け、結合凹部に結合凸部を嵌入して着脱自在に結合させて設置することとしてもよい。尚、側壁２３は必ずしも設けなくてもよい。
【００３５】
ガード３はトイレ１の外壁を高くし、尿のトイレ外への飛散を防止する為の部材である。ガード３は三面の長方形又は正方形の平板体を用い、中板３１と中板３１の両端である対向辺に回動自在に枢結された外板３２，３２から構成されている。中板３１と外板３２はヒンジや蝶番或いは両端部を夫々中板３１と外板３２に固着した弾性を有するゴム片、合成樹脂片、紐、その他の小片等を用い、少なくとも中板３１と外板３２の結合角が０度から９０度即ち中板３１の内面３１１と外板３２が面着する状態から外板３２が中板３１に垂直状態の範囲で回動自在に枢結されている。具体的構成例としては図８及び図１０によく示すように、中板３１の側端面３１８に支持突起３１９を設け、外板３２は中板３１との接合端を略直角に延設した接合部３２９を設けて略Ｌ字型に構成すると共に切欠部３２８を設け、接合部３２９の端部の回転方向内側の隅３２７を横断面円弧状に構成する。支持突起３１９を切欠部３２８に嵌め込むと共に、軸を通し回動自在に枢結して構成している。このように構成することにより、外板３２の回動が円滑になり、トイレ１の組立時に外板３２が中板３１に垂直の位置でその回動を止めることが可能となる。
【００３６】
ガード３の下縁面３７１には、壁板２７の上縁面２７１に設けた結合孔２７２に対応して、少なくとも中板３１及び外板３２に夫々１個の結合突起３７２を突設している。結合突起３７２は棒状、平板状等に形成すればよい。中板３１には２個乃至３個の結合突起３７２を設けることが好ましい。このような構成とすることで、ガード３は側体２２の壁面２７上に着脱自在に設置される。ガード３の側体２２の壁板２７上への結合は、上記構成によることに限定されず、壁板２７の上縁面２７１とガード３の下縁面３７１の何れか一方に適宜長に渡って溝を設け、他方に前期溝に対応する適宜長の凸状体を構成してもよく、更に、ガード３の下縁面３７１及び壁板２７の上縁面２７１上に夫々磁石を設置すること等によっても着脱自在に設置することが可能である。
【００３７】
又、側体２２とガード３の結合は上記のような着脱式の構成によらず、上述のようなガード３の中板３１を壁板２７の端板２５に回動自在に枢結し、壁板２７の両側板２６，２６の上縁面２７１に設けた結合孔２７２，２７２に対応して、外板３２，３２に結合突起３７２，３７２を突設して構成してもよい。トイレ１の折畳み時にはガード３は折畳まれて内部空間１１に収納される。このような構成とした場合には、ガード３を端板２５の内壁面に固着するための磁石等を中板３２の外壁面及び端板２５の内壁面に設置することが望ましい。
【００３８】
トイレ１の組立時に、内壁面の上端部即ちガード３及び側壁２３の内壁面上端部分、ガード３を用いない場合には壁板２７の内側上端部にトイレシートを保持するための保持部材７を設けることは推奨される。保持部材７としては各種クリップ、対の磁石等を用いることが可能である。磁石を用いる場合には薄いプレート状のものを用い、一方はガード３及び側壁２３の内側上端部分の表面に固着或いは内側上端部分に埋め込んで用いる。磁石はさび防止のために塗料や合成樹脂等により被覆することが望ましく、対の磁石の内何れか一方が磁石で他方は磁石と吸着する鉄片等を用いてもよい。
【００３９】
又、トイレ１は側壁２３が倒れるのを防止し、基板２１に対して略垂直を保つための支持手段３３３を設けることは推奨される。支持手段３３３の具体例としては、外板３２の側端面３２１に渡って設ける突起３２２と、突起３２２に対応し、側壁２３の側端面２３１の略上半分に渡って設ける溝２３２から構成する。側壁２３の支持力を向上させるために図９（ｂ）に示すように突起３２２は楔状に、図６（ｂ）に示すように溝２３２は該楔状の突起３２２に対応させて形成することは推奨される。勿論、外板３２の側端面３２１に溝、側壁２３の側端面２３１に突起を設けることとしてもよく、突起３２２及び溝２３２は外板３２及び側壁２３の夫々の上端部にのみ設けることとしてもよい。外板３２の側端面３２１に設けた突起３２２を側壁２３の端面２３１に設けた溝２３２挿入することにより側壁２３が倒れるのを防止する。又、上述のような側壁２３の端部の回転方向内側の隅２３５の縦断面円弧状の構成も支持手段３３３の一具体例である。
【００４０】
次に本発明の小動物用トイレ１の使用方法について説明する。トイレ１の未使用時にはトイレ１は折畳れ、内部空間１１を形成する立方体の箱状になっている。立方体の内部空間１１はガード３，３やトイレシートその他のトイレ用品を収納している。使用時には結合部材６の結合を解除して側体２２，２２を９０度外方へ回動して開き、基板２１と結合板２４，２４を面一にする。内部空間１１から折畳まれたガード３，３及びトイレシートを取り出し、側壁２３を内方へ回動させて基板２１と垂直にする。次に外板３２，３２を回動して開き、ガード３，３を略コの字型にし、壁板２７の上縁面２７１に設けた結合孔２７２，２７２…に結合突起３７２，３７２…を挿入すると共に、外板３２，３２の側端面３２１，３２１に夫々設けた突起３２２，３２２を側壁２３の両側端面２３１に設けた溝２３２，２３２に挿入して、壁板２７上に設置する。最後にトイレシーツ（図示せず）を保持部材７に保持させてトイレ１の内壁面及び底面に設置する。
【００４１】
尚、本発明の小動物用トイレ１は側体２２に適宜通気孔としての貫通孔を設けることにより、小動物用のケージとしても利用可能である。
【図面の簡単な説明】
【００４２】
【図１】本発明一実施例組立状態斜視図
【図２】本発明一実施例本体部分展開時斜視図
【図３】本発明一実施例本体部分上面図
【図４】本発明一実施例本体部分展開状態側面図
【図５】本発明一実施例本体部分側面図
【図６】本発明一実施例本体部分折畳状態側面図
【図７】（ａ）図３Ａ−Ａ断面図              （ｂ）側壁の組立状態における図３Ａ−Ａ断面図
【図８】本発明一実施例ガード折畳状態斜視図
【図９】（ａ）本発明一実施例ガード展開状態上面図              （ｂ）図９（ａ）のＣ部拡大図
【図１０】（ａ）本発明一実施例ガード展開状態上面図              （ｂ）図１０（ａ）のＤ部拡大図              （ｃ）図１０（ａ）のＤ部のガード展開状態における拡大図
【符号の説明】
【００４３】
１      小動物用トイレ
１１    内部空間
１２    空間
２      本体
２１    基板
２２    側体
２３    側壁  
２４    結合板
２７    壁板
３      ガード
３１    中板
３２    外板
３３３  支持手段
５      把持部材
６      結合部材
７      保持部材
【図１】
2005168383.tif 000003
【図２】
2005168383.tif 000004
【図３】
2005168383.tif 000005
【図４】
2005168383.tif 000006
【図５】
2005168383.tif 000007
【図６】
2005168383.tif 000008
【図７】
2005168383.tif 000009
【図８】
2005168383.tif 000010
【図９】
2005168383.tif 000011
【図１０】
2005168383.tif 000012